(57)【要約】【課題】洗浄水を貯留するタンクから洗浄水が溢れ出ることを抑制すること。【解決手段】実施形態に係る洗浄水供給装置は、洗浄水を貯留するタンクと、バキュームブレーカと、オーバーフロー流路と、排水流路とを備える。バキュームブレーカは、通水路と、大気導入口と、弁体と、大気導入口から溢れ出た洗浄水を受ける水受け部とを有する。オーバーフロー流路は、タンク内において規定水位以上の洗浄水が供給された場合に便器本体へ洗浄水を流出させる。排水流路は、水受け部に接続され、水受け部で受けた洗浄水を排水する。タンクは、排水流路の排水をタンク内へ導入する排水導入部と、タンクに対する洗浄水の給排水時にタンク内で洗浄水と空気とが置換されるように、タンク内とタンク外とで空気を流通させる空気流通部とを備える。【選択図】図４
2018109335.tif 000002
【特許請求の範囲】
【請求項１】
便器本体へ供給される洗浄水を貯留するタンクと、
上流側に入水口、下流側に出水口を有する通水路と、前記通水路と外部とを連通する大気導入口と、前記通水路内に設けられ、前記洗浄水の水圧によって動作することにより通水時には前記入水口と前記出水口とを連通させ、非通水時には前記通水路と前記大気導入口とを連通させる弁体と、前記大気導入口から溢れ出た洗浄水を受ける水受け部とを有するバキュームブレーカと、
前記タンク内において規定水位以上の洗浄水が供給された場合に前記便器本体へ洗浄水を流出させるオーバーフロー流路と、
前記水受け部に接続され、前記水受け部で受けた洗浄水を排水する排水流路と
を備え、
前記タンクは、
前記排水流路の排水を前記タンク内へ導入する排水導入部と、
前記タンクに対する洗浄水の給排水時に前記タンク内で洗浄水と空気とが置換されるように、前記タンク内と前記タンク外とで空気を流通させる空気流通部と
を備えることを特徴とする洗浄水供給装置。
【請求項２】
前記排水導入部は、
前記タンクに形成され、前記排水流路の排水を受ける排水受け部と、
前記タンクの前記排水受け部の、前記排水流路の下流側端部と大気開放した空間を介して対向する位置に開口され、前記排水流路の排水を前記タンク内へ導入する排水孔と
を備えることを特徴とする請求項１に記載の洗浄水供給装置。
【請求項３】
前記空気流通部は、
前記タンクの前記排水受け部に開口され、空気を流通させる空気流通孔と、
前記空気流通孔の周囲から上方へ向けて突出するように形成される周壁部と
を備えることを特徴とする請求項２に記載の洗浄水供給装置。
【請求項４】
前記排水流路は、
前記下流側端部の排水の流れ方向に沿った中心線が、前記排水孔の排水の流れ方向に沿った中心線に対して交差するように形成されること
を特徴とする請求項２または３に記載の洗浄水供給装置。
【請求項５】
前記排水流路は、
前記下流側端部の下端が前記排水孔の上方に位置するように形成されること
を特徴とする請求項４に記載の洗浄水供給装置。
【請求項６】
前記排水受け部は、
底面が前記排水孔に向けて下り傾斜となるように形成されること
を特徴とする請求項２〜５のいずれか一つに記載の洗浄水供給装置。
【請求項７】
前記空気流通部の上方であって、平面視において前記空気流通部を覆うように配置される蓋部
を備えることを特徴とする請求項１〜６のいずれか一つに記載の洗浄水供給装置。
【請求項８】
請求項１〜７のいずれか一つに記載の洗浄水供給装置を備えることを特徴とする水洗大便器。
【発明の詳細な説明】
【技術分野】
【０００１】
開示の実施形態は、洗浄水供給装置および水洗大便器に関する。
【背景技術】
【０００２】
従来、リム吐水口およびジェット吐水口を有するボウル部に対し、リム吐水口には洗浄水を水道から直接供給し、ジェット吐水口にはタンク内に貯留された洗浄水を加圧して供給する洗浄水供給装置が知られている。
【０００３】
また、この種の洗浄水供給装置には、洗浄水の逆流を防止するためにバキュームブレーカが設けられる。バキュームブレーカは、非通水時に流路を大気に開放するための大気導入口と、大気導入口を開閉する弁体と、大気導入口から溢れた洗浄水を受ける水受け部とを備える（例えば特許文献１参照）。なお、上記したタンクには、規定水位以上の洗浄水が供給された場合に洗浄水をタンクの外（例えばジェット吐水口）へ流出させるオーバーフロー流路が接続される。
【先行技術文献】
【特許文献】
【０００４】
【特許文献１】特開２０１４−１９０４８９号公報
【発明の概要】
【発明が解決しようとする課題】
【０００５】
ところで、例えば上記したジェット吐水口は、吐水の勢いを増加させるためにジェット吐水口の断面積を小さくする場合がある。かかる場合、ジェット吐水口に接続されるオーバーフロー流路にあっては、圧力損失が増加するため、排水能力が低下することがある。オーバーフロー流路の排水能力が低下すると、例えばタンク内の水位が規定水位以上にまで上昇した場合に、オーバーフロー流路からジェット吐水口へ洗浄水が排水されにくくなってタンクから溢れ出るおそれがある。
【０００６】
このように、従来技術には、タンクから洗浄水が溢れ出ることを抑制するという点でさらなる改善の余地がある。
【０００７】
実施形態の一態様は、上記に鑑みてなされたものであって、洗浄水を貯留するタンクから洗浄水が溢れ出ることを抑制することができる洗浄水供給装置および水洗大便器を提供することを目的とする。
【課題を解決するための手段】
【０００８】
実施形態の一態様に係る洗浄水供給装置は、便器本体へ供給される洗浄水を貯留するタンクと、上流側に入水口、下流側に出水口を有する通水路と、前記通水路と外部とを連通する大気導入口と、前記通水路内に設けられ、前記洗浄水の水圧によって動作することにより通水時には前記入水口と前記出水口とを連通させ、非通水時には前記通水路と前記大気導入口とを連通させる弁体と、前記大気導入口から溢れ出た洗浄水を受ける水受け部とを有するバキュームブレーカと、前記タンク内において規定水位以上の洗浄水が供給された場合に前記便器本体へ洗浄水を流出させるオーバーフロー流路と、前記水受け部に接続され、前記水受け部で受けた洗浄水を排水する排水流路とを備え、前記タンクは、前記排水流路の排水を前記タンク内へ導入する排水導入部と、前記タンクに対する洗浄水の給排水時に前記タンク内で洗浄水と空気とが置換されるように、前記タンク内と前記タンク外とで空気を流通させる空気流通部とを備えることを特徴とする。
【０００９】
これにより、例えばタンク内の水位が規定水位以上にまで上昇し、洗浄水がオーバーフロー流路から便器本体のジェット吐水口へ排水される際、空気流通部からタンク内へ空気が導入され、洗浄水と空気の置換がスムーズに行われる。そのため、例えばオーバーフロー流路の排水能力が低下した場合であっても、オーバーフロー流路からジェット吐水口へ洗浄水が排水されやすくなり、結果として洗浄水がタンクから溢れ出ることを抑制することができる。
【００１０】
さらに、排水流路からの排水は排水導入部を介してタンクへ排水され、かかる排水導入部とは別に空気流通部を備えることから、例えばタンクへの給水時にタンク内から導出される空気と排水流路からの排水とが混ざりにくくなる。これにより、タンク内から導出される空気に排水流路からの排水が混ざって、タンク外へと飛散して溢れ出ることを抑制することができる。
【００１１】
また、前記排水導入部は、前記タンクに形成され、前記排水流路の排水を受ける排水受け部と、前記タンクの前記排水受け部の、前記排水流路の下流側端部と大気開放した空間を介して対向する位置に開口され、前記排水流路の排水を前記タンク内へ導入する排水孔とを備えることを特徴とする。
【００１２】
これにより、例えばタンク内の洗浄水が排水孔を通って排水受け部へ上がってきた場合であっても、排水流路と排水孔とは大気開放した空間を介して位置されることから、上がってきた洗浄水が排水流路を介してバキュームブレーカ等へ溢れ出ることを抑制することができる。
【００１３】
また、前記空気流通部は、前記タンクの前記排水受け部に開口され、空気を流通させる空気流通孔と、前記空気流通孔の周囲から上方へ向けて突出するように形成される周壁部とを備えることを特徴とする。
【００１４】
これにより、例えばタンク内の洗浄水が空気流通孔へ上がってくる場合であっても、空気流通孔はタンクの排水受け部に開口されることから、上がってきた洗浄水は、排水受け部へと流れ、よってタンク外へ溢れることを確実に抑制することができる。
【００１５】
また、前記排水流路は、前記下流側端部の排水の流れ方向に沿った中心線が、前記排水孔の排水の流れ方向に沿った中心線に対して交差するように形成されることを特徴とする。
【００１６】
これにより、例えばタンク内の洗浄水が排水孔へ上がってくる場合であっても、洗浄水は、排水流路の下流側端部に当たって勢いが弱まるため、排水流路へ流れ込みにくく、よってバキュームブレーカ等へ溢れ出ることをより一層抑制することができる。
【００１７】
また、前記排水流路は、前記下流側端部の下端が前記排水孔の上方に位置するように形成されることを特徴とする。
【００１８】
これにより、排水流路からの排水は排水孔へ流れ込みやすくなる一方、例えばタンク内の洗浄水が排水孔へ上がってくる場合であっても、上がってきた洗浄水は、排水流路の下流側端部に当たりやすくなり、排水流路へ流れ込みにくくなる。すなわち、排水流路の排水性の向上と、バキュームブレーカ等へ溢れ出ることの抑制との両立を図ることができる。
【００１９】
また、前記排水受け部は、底面が前記排水孔に向けて下り傾斜となるように形成されることを特徴とする。これにより、排水流路から排水受け部へ流れた排水を効率よく捕集して排水孔からタンク内へ導入させることが可能となる。そのため、洗浄水がタンクから溢れ出ることをより確実に抑制することができる。
【００２０】
また、前記空気流通部の上方であって、平面視において前記空気流通部を覆うように配置される蓋部を備えることを特徴とする。これにより、タンクの周辺の機器に生じる結露を抑制したり、洗浄水がタンク外へ溢れ出ることを抑制したりすることができる。
【００２１】
また、実施形態の一態様に係る水洗大便器は、上記洗浄水供給装置のいずれか一つを備えることを特徴とする。これにより、水洗大便器において、洗浄水を貯留するタンクから洗浄水が溢れ出ることを抑制することができる。
【発明の効果】
【００２２】
実施形態の一態様によれば、洗浄水を貯留するタンクから洗浄水が溢れ出ることを抑制することができる。
【図面の簡単な説明】
【００２３】
【図１】図１は、実施形態に係る洗浄水供給装置を備える水洗大便器を示す全体構成図である。
【図２】図２は、洗浄水供給装置におけるバキュームブレーカおよび切替弁周辺の断面図である。
【図３】図３は、タンク等を示す平面図である。
【図４】図４は、図３のIV−IV線断面図である。
【図５】図５は、タンクから取り外した状態の継手を示す斜視図である。
【図６】図６は、タンクの上蓋部の下面側を示す図である。
【発明を実施するための形態】
【００２４】
以下、添付図面を参照して、本願の開示する洗浄水供給装置および水洗大便器の実施形態を詳細に説明する。なお、以下に示す実施形態によりこの発明が限定されるものではない。
【００２５】
＜１．洗浄水供給装置を備える水洗大便器の構成＞
先ず、洗浄水供給装置を備える水洗大便器の構成について図１を参照して説明する。図１は、実施形態に係る洗浄水供給装置を備える水洗大便器を示す全体構成図である。なお、図１および図２以降に示す図は、いずれも模式図である。
【００２６】
図１に示すように、水洗大便器１００は、例えばトイレ室の床面に載置される便器本体２００と、便器本体２００の後方に配置され、便器本体２００に対して洗浄水を供給する洗浄水供給装置１とを備える。
【００２７】
便器本体２００は、汚物を受けるボウル部２１０と、ボウル部２１０の底部から後方へ延びる排水トラップ管路２２０とを備える。ボウル部２１０には、リム吐水を行うリム吐水口２１２およびジェット吐水を行うジェット吐水口２１４が形成される。リム吐水口２１２は、ボウル部２１０の上部後方に形成され、ボウル部２１０の上縁に沿って洗浄水を吐出する。
【００２８】
ジェット吐水口２１４は、ボウル部２１０の底部に形成され、排水トラップ管路２２０に向けて洗浄水を吐出する。かかるジェット吐水口２１４からの洗浄水の吐出によって、排水トラップ管路２２０内を洗浄水で急速に満たし、サイホン作用を早期に発生させることができる。排水トラップ管路２２０は、封水を形成するとともに、下水配管（図示せず）と連通している。
【００２９】
洗浄水供給装置１は、図示しない制御部によって制御されるバルブユニット６００と、バルブユニット６００の下流に設けられ洗浄水を貯留するタンク８００と、タンク８００内の下流に設けられ洗浄水を加圧する加圧ポンプ９００とを備える。
【００３０】
バルブユニット６００の上流側には、図示しない給水源からの洗浄水を供給する給水路３１０が接続される。また、バルブユニット６００の下流側には、リム吐水口２１２に洗浄水を供給するためのリム側給水路３２０とタンク８００に洗浄水を供給するためのタンク側給水路３３０とが接続される。
【００３１】
バルブユニット６００は、定流量弁６２０と、定流量弁６２０の下流に設けられるダイヤフラム式の給水弁６４０と、給水弁６４０の下流に設けられるバキュームブレーカ６８０と、バキュームブレーカ６８０の下流に設けられる切替弁６６０とを備える。
【００３２】
定流量弁６２０は、給水路３１０から定流量弁６２０に流れ込んで下流側へ向かう洗浄水の流量を一定にする。給水弁６４０は、例えばダイヤフラムを含んで構成され、その開閉により、リム吐水口２１２およびジェット吐水口２１４における洗浄水の吐水と止水とを切替える。
【００３３】
バキュームブレーカ６８０は、洗浄水の逆流を防止する。かかるバキュームブレーカ６８０の具体的な構成については、後述する。なお、バキュームブレーカ６８０から溢れ出た洗浄水は、水受け部６８４によって捕集された後、水受け部６８４の底面に接続された排水路３６０によってタンク８００に排出される。
【００３４】
切替弁６６０は、給水源からの洗浄水の供給先を例えば便器本体２００のリム吐水口２１２とタンク８００とに切り替える。すなわち、切替弁６６０は、リム側給水路３２０またはタンク側給水路３３０へ向けて洗浄水を供給する。
【００３５】
タンク８００は、便器本体２００のジェット吐水口２１４へ供給される洗浄水を貯留する。タンク８００の下部には、ポンプ側給水路３４０が接続されており、ポンプ側給水路３４０の下流端には加圧ポンプ９００が接続される。
【００３６】
また、タンク８００の上部には、オーバーフロー流路３４２が接続される。オーバーフロー流路３４２は、例えばタンク８００内において規定水位ＷＬ以上の洗浄水が供給された場合に便器本体２００へ洗浄水を流出させる。詳しくは、オーバーフロー流路３４２は、規定水位ＷＬ以上となった洗浄水を、加圧ポンプ９００を経由させずに、ジェット側給水路３５０を介して便器本体２００のジェット吐水口２１４へ流出させる。なお、タンク８００の構成については、後に詳しく説明する。
【００３７】
加圧ポンプ９００は、ジェット側給水路３５０によりジェット吐水口２１４と接続されており、タンク８００に貯水された洗浄水を加圧してジェット側給水路３５０を介してジェット吐水口２１４へ供給する。
【００３８】
＜２．バキュームブレーカの構成＞
次に、実施形態に係るバキュームブレーカ６８０の具体的な構成について図２を参照して説明する。図２は、洗浄水供給装置１におけるバキュームブレーカ６８０および切替弁６６０周辺の断面図である。
【００３９】
図２に示すように、実施形態に係る洗浄水供給装置１では、給水源から給水弁６４０を介してバキュームブレーカ６８０へ至る給水路３１０は、上方に延びており、洗浄水はかかる給水路３１０を上昇してバキュームブレーカ６８０へ流入する。
【００４０】
バキュームブレーカ６８０は、通水路６８１と、大気導入口６８２と、弁体６８３と、水受け部６８４とを備える。
【００４１】
通水路６８１は、上流側（給水弁６４０側）に入水口６８５、下流側（切替弁６６０側）に出水口６８６を有する。入水口６８５は鉛直方向に向けて開口し、出水口６８６は水平方向に向けて開口する。大気導入口６８２は、通水路６８１と外部とを連通する開口部であり、入水口６８５の上方に設けられ、鉛直方向に向けて開口する。
【００４２】
弁体６８３は、通水路６８１内に設けられ、洗浄水の水圧によって通水路６８１内を上下動する。かかる弁体６８３は、通水時には水圧により上昇して入水口６８５と出水口６８６とを連通させるとともに、大気導入口６８２を閉鎖する。そして、出水口６８６から流出した洗浄水は、切替弁６６０へ流入し、切替弁６６０によって流出先がリム吐水口２１２とタンク８００との間で切り替えられる。
【００４３】
また、弁体６８３は、図２において破線で示すように、非通水時には自重により降下して通水路６８１と大気導入口６８２とを連通させるとともに、入水口６８５を閉鎖する。このように、バキュームブレーカ６８０は、非通水時に大気導入口６８２から外部の空気を流路内に導入することにより、流路内が負圧になることで生じる洗浄水の逆流を防止する。
【００４４】
水受け部６８４は、大気導入口６８２の上部に設けられる。水受け部６８４は、大気導入口６８２と連通しており、大気導入口６８２から溢れ出た洗浄水を受ける。詳しくは、水受け部６８４は、大気導入口６８２の出口部分を取り囲むように形成された箱状の水槽であり、例えば非通水から通水の状態に切り替わって弁体６８３が大気導入口６８２を閉鎖する際等に、大気導入口６８２から溢れ出た洗浄水を受ける。
【００４５】
水受け部６８４の底面には、排水路３６０が接続されており、水受け部６８４により捕集された洗浄水は、排水路３６０経由でタンク８００に排出される。なお、かかる排水路３６０については、後に詳説する。
【００４６】
上記のように構成されたバキュームブレーカ６８０を含むバルブユニット６００は、例えばタンク８００の上方に配置される。
【００４７】
＜３．タンク等の構成＞
次に、タンク８００の構成、および、タンク８００とバキュームブレーカ６８０との接続部分の構成について図３以降を参照して詳しく説明する。図３は、タンク８００等を示す平面図である。なお、図３においては、タンク８００とバキュームブレーカ６８０との接続部分を図示するため、バキュームブレーカ６８０の水受け部６８４のみを想像線で示し、バキュームブレーカ６８０のその他の構成部品については図示を省略している。
【００４８】
図３に示されるように、水受け部６８４は、タンク８００の上方に配置される。また、水受け部６８４の底面には、受けた洗浄水を流出させる流出孔６８８が開口され、かかる流出孔６８８に排水路３６０が接続される。
【００４９】
したがって、水受け部６８４にあっては、大気導入口６８２（図２参照）から溢れ出て受けた洗浄水が、矢印Ａ１で示すように、流出孔６８８へ流れ、流出孔６８８から排水路３６０を介してタンク８００に排出される。なお、以下では、水受け部６８４から排出される洗浄水を「排水」と記載する場合がある。
【００５０】
図４は、図３のIV−IV線断面図である。図４に示すように、上記した排水路３６０は、連結管３６１と、排水流路３６２とを備える。
【００５１】
連結管３６１は、例えばゴムなどの弾性部材によって製作された連結ホースであり、水受け部６８４と排水流路３６２とを連結する。具体的には、連結管３６１は、一端が水受け部６８４の流出孔６８８に接続される一方、他端が排水流路３６２に接続され、水受け部６８４の排水を排水流路３６２へ流通させる。
【００５２】
排水流路３６２は、上記したように水受け部６８４に連結管３６１を介して接続され、水受け部６８４で受けた洗浄水を排水する。また、排水流路３６２は、バキュームブレーカ６８０の水受け部６８４とタンク８００とを接続する継手４００の一部として構成される。かかる継手４００は、タンク８００の上部に取り付けられる。
【００５３】
図５は、タンク８００から取り外した状態の継手４００を示す斜視図である。図５に示すように、継手４００は、上記した排水流路３６２と、蓋部４１０と、挿通孔４２０と、圧入リブ４３０とを備える。
【００５４】
図４および図５に示すように、排水流路３６２は、上流側端部３６３が例えば鉛直方向に延びる略円筒状となるように形成される。なお、上記した連結管３６１は、排水流路３６２の上流側端部３６３に接続される。
【００５５】
排水流路３６２は、水受け部６８４側である上流側からタンク８００側である下流側に向かう途中で、流れ方向を屈曲させるように形成され、下流側端部３６４の排水の流れ方向に沿った中心線３６４ａが鉛直方向に対して交差（傾斜）するように形成される。なお、この明細書において「交差」なる語句は、２つの直線（例えば中心線や鉛直方向）が同一平面上で交わることのみを意味するものではなく、２つの直線の関係がねじれの位置である場合も含めるものとする。
【００５６】
また、排水流路３６２の下流側端部３６４は、例えば内部に流路を有する略直方体状に形成される。なお、排水流路３６２において、上流側端部３６３や下流側端部３６４の形状は、あくまでも例示であって限定されるものではない。
【００５７】
蓋部４１０は、排水流路３６２から側方へ向けて延設される略平板状の板部４１１と、板部４１１の端部において下方へ向けて突出する突出部４１２とを備える。蓋部４１０は、後述する空気流通部３８０の上方に配置されることで、タンク８００の周辺の機器に生じる結露を抑制したり、洗浄水がタンク８００外へ溢れ出ることを抑制したりすることができるが、これについては後述する。
【００５８】
挿通孔４２０は、継手４００をタンク８００に固定する固定ネジ４２１（図４参照）が挿通される孔であり、適宜位置（例えば蓋部４１０）に形成される。なお、タンク８００において挿通孔４２０と対応する位置には、雌ネジが螺刻された取付孔３９０（図４参照）が形成される。
【００５９】
圧入リブ４３０は、蓋部４１０の板部４１１から下方に向けて突出するように形成される。なお、図５に示す例では、圧入リブ４３０は、複数本（例えば２本）形成されるが、これに限定されるものではなく、例えば１本あるいは３本以上であってもよい。なお、タンク８００において圧入リブ４３０と対応する位置には、圧入リブ４３０が圧挿可能な支持部３９１（図４参照）が形成される。
【００６０】
したがって、圧入リブ４３０がタンク８００の支持部３９１に圧挿されることで、継手４００はタンク８００に対して位置決めされつつ支持される。次いで、例えば固定ネジ４２１が挿通孔４２０および取付孔３９０に挿通されて締結されることで、継手４００はタンク８００に締結固定される。
【００６１】
なお、継手４００のタンク８００に対する取付けは、必ずしも上記した圧入リブ４３０および固定ネジ４２１を用いることを要さず、圧入リブ４３０および固定ネジ４２１のいずれか一方であってもよく、また、例えばスナップフィットで係止するなどその他の構成で取り付けてもよい。
【００６２】
図４に示すように、タンク８００は、上面の一部または全部が開口される箱状の本体部８０１と、本体部８０１の開口を塞ぐように配置される上蓋部８０２とを備え、かかる本体部８０１と上蓋部８０２によって区画される内部の空間８００ａに洗浄水が貯留される。なお、上記した継手４００は、タンク８００の上蓋部８０２に取り付けられる。
【００６３】
また、タンク８００は、排水導入部３７０と、空気流通部３８０とを備える。排水導入部３７０は、矢印Ａ２で示すように、排水流路３６２の排水をタンク８００内へ導入する。
【００６４】
空気流通部３８０は、排水導入部３７０とは別に設けられる。空気流通部３８０は、矢印Ｂ，Ｃで示すように、タンク８００に対する洗浄水の給排水時にタンク８００内で洗浄水と空気とが置換されるように、タンク８００内とタンク８００外とで空気を流通させる。
【００６５】
なお、上記した「タンク８００に対する洗浄水の給排水時」は、例えばタンク８００に対し、タンク側給水路３３０（図１参照）からの給水、水受け部６８４の排水の導入、ポンプ側給水路３４０（図１参照）からジェット吐水口２１４への吐水、および、オーバーフロー流路３４２からジェット吐水口２１４への排水などが含まれるが、これに限定されるものではない。また、図４では、洗浄水の流れを破線の矢印で示し、空気の流れを一点鎖線の矢印で示している。
【００６６】
以下、排水導入部３７０および空気流通部３８０についてさらに詳しく説明する。排水導入部３７０は、排水受け部３７１と、排水孔３７２とを備える。
【００６７】
排水受け部３７１は、タンク８００の上蓋部８０２に形成され、排水流路３６２の排水を受ける。具体的には、排水受け部３７１は、タンク８００から上方に向けて突出するように形成された壁部３７１ａを含み、かかる壁部３７１ａは、図３に示すように、排水流路３６２および空気流通部３８０を平面視において取り囲む筒状に形成される。なお、以下では、タンク８００の上面において、排水受け部３７１の壁部３７１ａによって囲まれた部位を、排水受け部３７１の底面３７１ｂと記載する場合がある。
【００６８】
図４に示すように、排水孔３７２は、タンク８００の排水受け部３７１が形成された部位、すなわち、排水受け部３７１の底面３７１ｂに開口される開口部である。また、排水孔３７２は、タンク８００の排水受け部３７１の、排水流路３６２の下流側端部３６４と大気開放した空間を介して対向する位置に開口される。すなわち、排水流路３６２と排水孔３７２とは、大気開放した空間を介することで縁切りされる。そして、排水孔３７２は、排水流路３６２の排水をタンク８００内へ導入する（矢印Ａ２参照）。
【００６９】
また、排水受け部３７１の底面３７１ｂは、排水孔３７２に向けて水平線に対して下り傾斜となるように形成される。これにより、排水流路３６２から排水受け部３７１へ流れた排水を効率よく捕集して排水孔３７２からタンク８００内へ導入させることが可能となる（矢印Ａ３参照）。そのため、洗浄水（排水）がタンク８００から溢れ出ることをより確実に抑制することができる。
【００７０】
空気流通部３８０は、空気流通孔３８１と、周壁部３８２とを備える。空気流通孔３８１は、タンク８００の排水受け部３７１が形成された部位、すなわち、排水受け部３７１の底面３７１ｂに開口される開口部であり、空気を流通させる（矢印Ｂ，Ｃ参照）。
【００７１】
周壁部３８２は、空気流通孔３８１の周囲から上方へ向けて突出するように形成される。なお、周壁部３８２の高さは、排水受け部３７１の壁部３７１ａの高さより僅かに低くなるように設定されるが、これに限られず、例えば同じであってもよい。このように、周壁部３８２の高さを、排水受け部３７１の壁部３７１ａと同程度に設定することで、排水受け部３７１で受けた洗浄水が空気流通部３８０へ流入しにくくなり、洗浄水が空気の流通を阻害することを抑制することができる。
【００７２】
本実施形態に係る洗浄水供給装置１にあっては、上記した排水導入部３７０と、空気流通部３８０とを備えることから、洗浄水を貯留するタンクから洗浄水が溢れ出ることを抑制することができる。
【００７３】
具体的に説明すると、例えば上記したジェット吐水口２１４の断面積が比較的小さく設定された場合、ジェット吐水口２１４の吐水の勢いは増加するが、ジェット吐水口２１４に接続されるオーバーフロー流路３４２にあっては、圧力損失が増加して排水能力が低下することがある。そのため、例えばタンク８００内の水位が規定水位ＷＬ以上にまで上昇した場合に、オーバーフロー流路３４２からジェット吐水口２１４へ洗浄水が排水されにくくなってタンク８００から溢れ出るおそれがある。
【００７４】
そこで、本実施形態において、タンク８００には、排水導入部３７０とは別に、空気流通部３８０が設けられるようにした。これにより、例えば洗浄水がオーバーフロー流路３４２からジェット吐水口２１４へ排水される際、空気流通部３８０の空気流通孔３８１からタンク８００内へ空気が導入され（矢印Ｃ参照）、洗浄水と空気の置換がスムーズに行われる。そのため、例えばオーバーフロー流路３４２の排水能力が低下した場合であっても、オーバーフロー流路３４２からジェット吐水口２１４へ洗浄水が排水されやすくなり、結果として上記したような洗浄水がタンク８００から溢れ出ることを抑制することができる。
【００７５】
さらに、本実施形態にあっては、排水流路３６２からの排水は排水導入部３７０を介してタンク８００へ排水され、かかる排水導入部３７０とは別に空気流通部３８０を備えるように構成される。そのため、例えばタンク８００への給水時にタンク８００内から導出される空気（矢印Ｂ参照）と排水流路３６２からの排水（矢印Ａ２参照）とが混ざりにくくなる。これにより、タンク８００内から導出される空気に排水流路からの排水が混ざって、タンク８００外へと飛散して溢れ出ることも抑制することができる。
【００７６】
図４の説明を続ける。空気流通部３８０の上方であって、周壁部３８２から所定距離離間した位置には、上記した蓋部４１０が配置される。蓋部４１０は、図３に示すように、平面視において空気流通部３８０を覆うように配置される。
【００７７】
例えばタンク８００への給水時にタンク８００内から導出される空気（矢印Ｂ参照）は、水分を多く含むことがあるが、蓋部４１０が上記した位置に配置されるため、かかる空気が蓋部４１０に当たることとなる。これにより、例えば環境温度によっては導出される空気中の水分が結露することがあるが、その場合であっても、結露水Ｇを蓋部４１０の下面側に付着しやすくすることができる。このように、蓋部４１０部分で結露を生じさせやすくすることから、タンク８００周辺の機器において結露が生じることを抑制することができる。
【００７８】
なお、図３に示す例では、蓋部４１０は、平面視において空気流通部３８０の全部を覆うように配置されるが、これに限られず、空気流通部３８０の一部を覆うように配置されてもよい。
【００７９】
また、上記した排水孔３７２と空気流通孔３８１には、フロート弁５００，５１０が設けられる。具体的にタンク８００内において、フロート弁５００は排水孔３７２の下方に、フロート弁５１０は空気流通孔３８１の下方に設けられ、タンク８００内の洗浄水からの水圧によってタンク８００内を上下動する。
【００８０】
フロート弁５００，５１０は、通常時にはタンク８００内の水位が規定水位ＷＬよりも低く水圧が作用しないため、自重により降下して排水孔３７２とタンク８００内とを連通させるとともに、空気流通孔３８１とタンク８００内とを連通させる。
【００８１】
他方、例えば給水弁６４０や切替弁６６０等に不具合が生じ、タンク８００内の水位が規定水位ＷＬを超えてもなお、洗浄水が給水されて水位が上昇する場合がある。かかる場合には、タンク８００において、フロート弁５００，５１０のそれぞれの下方に形成された通水孔８０３，８０４から洗浄水がフロート弁５００，５１０の内部に流入し（矢印Ｄ１，Ｄ２参照）、フロート弁５００，５１０に水圧が作用する。これにより、フロート弁５００は上昇して排水孔３７２を閉鎖するとともに、フロート弁５１０も上昇して空気流通孔３８１を閉鎖する。上記した排水孔３７２および空気流通孔３８１の閉鎖により、洗浄水が排水孔３７２や空気流通孔３８１を通ってタンク８００外へ溢れることを抑制することができる。
【００８２】
しかしながら、例えばフロート弁５００と排水孔３７２との間にゴミなどの異物が挟まって、フロート弁５００が排水孔３７２を完全に閉鎖できない場合がある。かかる場合、タンク８００内の洗浄水は、排水孔３７２を通って排水受け部３７１へ上がってくるが（矢印Ｅ１参照）、上記したように、排水流路３６２と排水孔３７２とは大気開放した空間を介することで縁切りされることから、排水受け部３７１に上がってきた洗浄水が排水流路３６２を介してバキュームブレーカ６８０等へ溢れ出ることを抑制することができる。なお、以下では、矢印Ｅ１のように、タンク８００内から排水孔３７２を通って排水受け部３７１へ上がってくる洗浄水を「タンク溢れ水」と記載する場合がある。
【００８３】
同様に、例えばフロート弁５１０と空気流通孔３８１との間にゴミなどの異物が挟まって、フロート弁５１０が空気流通孔３８１を完全に閉鎖できない場合がある。かかる場合、タンク８００内の洗浄水は、空気流通孔３８１へ上がってくるが（矢印Ｅ２参照）、上記したように、空気流通孔３８１はタンク８００の排水受け部３７１に開口されることから、上がってきた洗浄水は、排水受け部３７１へと流れ、よってタンク８００外へ溢れることを確実に抑制することができる。
【００８４】
また、空気流通部３８０の空気流通孔３８１の上方には、蓋部４１０が配置されることから、空気流通孔３８１へ上がってくる洗浄水の勢いが比較的強い場合であっても、蓋部４１０に当たって、排水受け部３７１へ落下させることができる。これにより、洗浄水がタンク８００外へ溢れることをより確実に抑制することができる。
【００８５】
排水流路３６２の説明を続ける。図４に示すように、排水流路３６２は、下流側端部３６４の排水の流れ方向に沿った中心線３６４ａが、排水孔３７２の排水の流れ方向に沿った中心線３７２ａに対して交差するように形成される。なお、排水孔３７２の中心線３７２ａは、鉛直方向と平行または略平行とされる。
【００８６】
これにより、タンク溢れ水が排水流路３６２を介してバキュームブレーカ６８０等へ溢れ出ることをより一層抑制することができる。すなわち、例えば仮に、排水流路３６２の中心線３６４ａと排水孔３７２の中心線３７２ａとが鉛直方向に対して平行で、同軸または略同軸であった場合、タンク溢れ水は、勢いが比較的強い場合に排水流路３６２へ直接流れ込みやすく、バキュームブレーカ６８０等へ溢れ出るおそれがある。
【００８７】
そこで、本実施形態にあっては、排水流路３６２の中心線３６４ａと排水孔３７２の中心線３７２ａとが交差するようにしたことから、タンク溢れ水は、排水流路３６２の下流側端部３６４に当たって勢いが弱まるため、排水流路３６２へ流れ込みにくく、よってバキュームブレーカ６８０等へ溢れ出ることをより一層抑制することができる（矢印Ｅ１参照）。
【００８８】
排水流路３６２は、下流側端部３６４に切欠き部３６５が形成され、かかる切欠き部３６５により下流側端部３６４の下端３６６が排水孔３７２の上方に位置するように形成される。
【００８９】
これにより、排水流路３６２からの排水は、排水孔３７２へ流れ込みやすくなる一方（矢印Ａ２参照）、タンク溢れ水は、排水流路３６２の下流側端部３６４に当たりやすくなり、排水流路３６２へ溢れ出にくくなる（矢印Ｅ１参照）。すなわち、排水流路３６２の排水性の向上と、バキュームブレーカ６８０等へ溢れ出ることの抑制との両立を図ることができる。なお、下流側端部３６４の下端３６６の排水孔３７２に対する位置は、図４に示す例に限定されるものではない。
【００９０】
タンク８００はさらに、仕切り壁部３９２を備える。図６は、タンク８００の上蓋部８０２の下面側を示す図である。図４および図６に示すように、仕切り壁部３９２は、排水孔３７２と空気流通孔３８１との間に形成され、下方に向けて突出するように形成される。かかる仕切り壁部３９２により、排水孔３７２側から空気流通孔３８１側に対して洗浄水が流入しにくくなり、よって洗浄水が空気流通孔３８１において空気の流通を阻害することを効果的に抑制することができる。
【００９１】
上述してきたように、実施形態に係る洗浄水供給装置１にあっては、タンク８００と、バキュームブレーカ６８０と、オーバーフロー流路３４２と、排水流路３６２とを備える。タンク８００は、便器本体２００へ供給される洗浄水を貯留する。バキュームブレーカ６８０は、上流側に入水口６８５、下流側に出水口６８６を有する通水路６８１と、通水路６８１と外部とを連通する大気導入口６８２と、通水路６８１内に設けられ、洗浄水の水圧によって動作することにより通水時には入水口６８５と出水口６８６とを連通させ、非通水時には通水路６８１と大気導入口６８２とを連通させる弁体６８３と、大気導入口６８２から溢れ出た洗浄水を受ける水受け部６８４とを有する。
【００９２】
オーバーフロー流路３４２は、タンク８００内において規定水位ＷＬ以上の洗浄水が供給された場合に便器本体２００へ洗浄水を流出させる。排水流路３６２は、水受け部６８４に接続され、水受け部６８４で受けた洗浄水を排水する。また、タンク８００は、排水流路３６２の排水をタンク８００内へ導入する排水導入部３７０と、タンク８００に対する洗浄水の給排水時にタンク８００内で洗浄水と空気とが置換されるように、タンク８００内とタンク８００外とで空気を流通させる空気流通部３８０とを備える。
【００９３】
これにより、洗浄水を貯留するタンク８００から洗浄水が溢れ出ることを抑制することができる。
【００９４】
なお、上記した実施形態においては、排水流路３６２と蓋部４１０とは、継手４００に一体的に形成されるようにしたが、これに限られず、例えば排水流路３６２と蓋部４１０とは別部材であってもよい。
【００９５】
また、上記では、タンク８００内の洗浄水を加圧ポンプ９００で加圧してジェット吐水口２１４から吐出させるように構成したが、これに限定されるものではない。すなわち、例えば、加圧ポンプ９００で加圧した洗浄水をリム吐水口２１２からも吐水させるようにしてもよい。
【００９６】
また、上記では、バキュームブレーカ６８０が切替弁６６０の上流側に設けられるようにしたが、これに限られず、例えば切替弁６６０の下流側に設けられるようにしてもよい。
【００９７】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００９８】
１  洗浄水供給装置
１００  水洗大便器
２００  便器本体
２１４  ジェット吐水口
３４２  オーバーフロー流路
３６２  排水流路
３６４  下流側端部
３７０  排水導入部
３７１  排水受け部
３７２  排水孔
３８０  空気流通部
３８１  空気流通孔
３８２  周壁部
４１０  蓋部
６８０  バキュームブレーカ
６８１  通水路
６８２  大気導入口
６８３  弁体
６８４  水受け部
６８５  入水口
６８６  出水口
８００  タンク
９００  加圧ポンプ
【図１】
2018109335.tif 000003
【図２】
2018109335.tif 000004
【図３】
2018109335.tif 000005
【図４】
2018109335.tif 000006
【図５】
2018109335.tif 000007
【図６】
2018109335.tif 000008